【事件の表示】
　特願２０１４−１１８７６５「写真撮影編集機、写真撮影編集機の処理方法、並びにプログラム」拒絶査定不服審判事件〔平成２６年１１月１３日出願公開、特開２０１４−２１１６４２〕について、次のとおり審決する。
【結　論】
　本件審判の請求は、成り立たない。
【理　由】
第１　手続の経緯
　本願は、平成２４年４月２５日を出願日とする特願２０１２−９９８６７号の特許出願の一部を、平成２４年１２月３日に分割出願した特願２０１２−２６４２２０号の一部を、平成２５年１２月１３日に分割出願した特願２０１３−２５７７２４号の一部を、平成２６年６月９日に分割出願した特願２０１４−１１８７６５号であって、手続の概要は以下のとおりである。 
　
拒絶理由通知　　　　　　：平成２６年　８月１３日（起案日）
手続補正　　　　　　　　：平成２６年１０月１７日
拒絶査定　　　　　　　　：平成２７年　１月　７日（起案日）
拒絶査定不服審判請求　　：平成２７年　４月　９日
手続補正　　　　　　　　：平成２７年　４月　９日
拒絶理由（当審・最初）　：平成２８年　３月２９日（起案日）
手続補正　　　　　　　　：平成２８年　５月２４日
　
第２　本願発明
　本願の請求項１６に係る発明（以下、「本願発明」という。）は、平成２８年５月２４日付けの手続補正書により補正された特許請求の範囲の請求項１６に記載された事項により特定される、以下のとおりのものである。（（Ａ）ないし（Ｅ）は当審が付与した。以下、構成要件（Ａ）、構成要件（Ｂ）・・などという。）
　
　　【請求項１６】
（Ａ）利用者を撮影して複数枚の撮影画像を得るように撮影を制御し、
（Ｂ）前記複数枚の撮影画像の内、前記利用者の一部を表示している画像表示領域に表示されている前記利用者の同一箇所に対する異なる変更の指示を受け付け、
（Ｃ）受け付けられた変更を、前記画像表示領域に表示されている撮影画像に対して施す
　ステップを含み、
（Ｄ）前記画像表示領域に表示されていない全ての撮影画像に対しても、前記受け付けられた変更を施す
　ステップを含む
（Ｅ）写真撮影編集機の処理方法。
 　
第３　刊行物の記載事項
（１）刊行物１の記載
　当審における拒絶の理由の通知において引用された特開２００５−９２５８８号公報（以下、「刊行物１」という。）には、図面と共に以下の事項が記載されている。
 　
【０００１】
　本発明は、遊技場、遊園地などのアミューズメント施設などで利用者の全身、もしくは上半身、または顔領域を撮影・印刷する自動写真撮影装置に好適な合成画像プリント装置及び画像編集方法に関する。
【０００２】
　従来アミューズメント装置として、利用者である被写体をデジタルカメラで撮影し、その撮影画像と利用者が選択した画像とを合成した画像をシール紙に印刷する合成画像プリント装置が一般に知られている。
　このような合成画像プリント装置では背景画像と、撮影した被写体画像をクロマキー合成をしてシールとして印刷するものが主流であるが、中には撮影した被写体画像に対して編集を加えるものが知られている。例えば、被写体画像に対して、予め設定された画像処理方法に基づき、利用者による化粧入力に対応して化粧画像を合成する化粧画像処理手段を備えた構成が知られている（例えば、特許文献１参照。）
　また、化粧をシミュレーションする装置として、化粧を行う範囲を指定する化粧範囲指定手段と、判定された化粧範囲に対し、指定された口紅色，パウダー色に変換する各変換手段とを備えた構成が知られている（例えば、特許文献２参照。）
【特許文献１】特開２０００−０６９４０４号公報
【特許文献２】特開平０６−３１９６１３号公報
　
【００２４】
　図６，７は、上記構成における処理手順を示すフローチャートである。ここで説明する各処理は、制御装置１０のメモリ５０２に記憶された制御プログラムによって実現されるものである。
　図６は、本発明の合成画像プリント装置における基本処理を示すフローチャートである。
　管理側の設定として、まず、電源を投入する。
　電源が投入されると、オープニング処理として、機器動作確認，カメラ撮影準備，プリンタ印刷準備を行う（ステップ６０１）。機器動作確認では、蛍光灯照明機器の点滅確認，制御装置１０の起動確認が行われ、カメラ撮影準備では、シャッタースピード，絞りの設定が行われ、さらにプリンタ印刷準備では、プリンタ１７のウォームアップが開始される。
　ステップ６０１でのオープニング処理が終わると、顧客操作を受け入れるためのデモとして、画像合成装置の紹介、操作手順のデモを行う（ステップ６０２）。
【００２５】
　撮影を開始するために、利用者により規定枚数のコインが投入されると、撮影を行うための処理手順を画面上に表示する。
　撮影条件として、明るさ，濃度等の選択画面を表示し、利用者に各撮影条件を選択させる（ステップ６０３）。
【００２６】
　利用者はタッチパネルに対してタッチペンでタッチすることで選択を行う。このとき利用者により選択された明るさをストロボ用電源に設定する。
　ステップ６０３で設定された明るさでストロボを発光して、撮影処理を行う（ステップ６０４）。
　通常、本装置では、撮影処理の際に、被写体画像を含む３つの画像を使って合成を行う。まず、利用者により任意に選択されたフレームの前景画像に対して、マスク処理を行う。マスク処理を行うことで撮影した被写体と前景画像との重なり位置を確認する。次に実際に被写体の動画像を取り込み、そのまま動画で表示されている状態で選択したフレームの中に合成して、液晶モニタ７に表示する。
　この場合、マスク化された前景画像と利用者により選択された背景フレームとの間に、動画撮影されている被写体画像を挟み込むように合成し表示する。このときに使用されている被写体側の撮影データ、ＮＴＳＣの低解像の動画画像データが使用されている。ここでは解像度は６４０×４８０ピクセルの解像度のデータを利用する。
　取り込んでいた動画の被写体画像を撮影する。ここでは静止スチル画像によって撮影を行う。実際に撮影を行う場合は前述の低解像度ではなく、高解像度の画像データ、ここでは１２８０×１０２４ピクセルのデータでの出力に切り替える。
　撮影した静止画像に対して画像の歪み、色、輝度、濃度による補正と、画像の大きさの補正という２つの形態の補正を行い、データ記憶部に保存する（ステップ６０５）。その後再びステップ６０４の撮影に戻り、４枚撮影するまでこれを繰り返す。
【００２７】
　撮影画像としての被写体画像を４枚保存した後、画像編集処理を開始する(ステップ６０６〜６０９)。
　画像編集処理としては、利用者の選択に応じて、落書き処理（ステップ６０７）の他、後述する化粧処理（ステップ６０８）を行い、画像編集の選択画面（ステップ６０６）から終了ボタンが選択されると画像編集処理を終了する（ステップ６０９）。
　その後印刷するレイアウトを選択させ（ステップ６１０）、このレイアウトで編集した画像をプリンタ１７で印刷する（ステップ６１１）。
　印刷後処理を終了し（ステップ６１２）、オープニング画面（ステップ６０１）へ戻る。
　なお、落書き処理と化粧処理の順番はユーザによって変えることもできる。また、落書き処理、化粧処理のいずれか一つだけを選択することも、さらにどちらも選択しないことも可能である。また、落書き処理、化粧処理のどちらか一方にした場合には、それぞれの処理に利用する時間をどちらかの処理に追加することができる。最初にどちらか一方の処理にするかという選択も可能であり、一つの処理終了後に、同じ処理を選択するか異なる処理を選択するかを選ぶことも可能である。
【００２８】
　図７は、図６のステップ６０８に示す化粧処理を示すフローチャートである。
　化粧処理を開始すると、化粧モード選択画面を表示装置に表示して、利用者に化粧モードを選択させる（ステップ７０１）。
　化粧モードの選択を受付ると、表示装置に化粧処理開始画面を表示する（ステップ７０２）。化粧処理開始画面では、被写体画像とともに、化粧処理対象となる顔について、両目及び口の位置の指定を促す案内メッセージを表示する。
　タッチペンの操作により、両目及び口の位置が指定されると（ステップ７０３）、指定された両目及び口の位置情報に基づき顔領域を判定して、化粧部分選択画面として、判定結果に基づく顔領域の拡大画像と、化粧部分選択ボタンとを表示する（ステップ７０４）。この場合、両目及び口の位置情報に基づき、顔の中心線も判定される。
　タッチペンにより、化粧部分の選択ボタンが操作されると（ステップ７０５）、選択ボタンに対応する化粧部分の化粧処理画面を表示して、利用者に化粧部分を選択させる。化粧処理を行う化粧部分及び化粧処理の順序については、利用者による任意の選択が可能なものとし、一部の化粧部分のみについて化粧処理を行うこととしてもよい。
　化粧部分として目が選択された場合（ステップ７０６）、化粧処理画面として、両目の位置情報に基づく両目部分の拡大画像とともに、両目部分に対応する種別の化粧画像を選択するための化粧ツール（アイライン，アイシャドウ，マスカラ等のメイク道具）及びアイテムパレット（色，パターン）を表示する（ステップ７０７）。この場合、アイテムパレットには、ステップ７０１で利用者により選択された化粧モードに対応するパレットを表示する。
　化粧処理画面では、タッチペンの操作により化粧ツール及びアイテムパレットを選択させた後（ステップ７０８）、化粧範囲を指定させる（ステップ７０９）。
　口・肌・髪・アクセサリのいずれかが選択された場合（ステップ７１０，７１４，７１８，７２２）も同様に、対応する化粧処理画面を表示し（ステップ７１１，７１５，７１９，７２３）、化粧ツール，アイテムパレットを選択させた後（ステップ７１２，７１６，７２０，７２４）、化粧範囲を指定させる（７１３，７１７，７２１，７２５）。
　指定された化粧範囲について、選択された化粧ツール及びアイテムパレットに応じた化粧画像合成処理を行い、各部分の拡大画像に合成して表示する（ステップ７２６）。なお、各化粧部分における化粧範囲の指定及び化粧画像生成処理については、後述する。
　合成画像を表示した後、タッチペンの操作により、化粧ツール又はアイテムパレットが選択されると、選択内容に基づき化粧画像を変更し、変更した化粧画像を拡大画像に合成して表示する（ステップ７２７）。また、消去ツール，消しゴムツールが選択されると、タッチペンで指定された化粧画像について、後述する消去処理を行う。
　一方、タッチペンの操作により、終了ボタンが選択されると（ステップ７２８）、化粧部分選択画面を表示する（ステップ７０４）。
　化粧部分選択画面で終了ボタンが選択されると（ステップ７２９）、化粧処理を終了して（ステップ７３０）、画像編集選択画面を表示する。
　複数の処理が存在するため、予めユーザにどの処理を行うのかを選択させ、選択されたそれぞれの処理１つづつに必要な時間をカウントダウンし表示することもでき、また選択した全ての処理の合計時間数をカウントダウン表示させることもできる。また、各処理を順次選択していく場合は、化粧処理を行うことができる時間の総合計数をカウントダウン表示することもできる、前述したように落書き時間も化粧処理時間に加えることができるため、予め落書きモードを選択してある場合は落書き時間も加えて表示することができる。
また、音声にてカウントダウンをユーザに知らせても良い。
【００２９】
　以下、図８〜２０に基づき、化粧処理の具体例を説明する。
　図８は、画像編集選択画面の画面構成の一例を示す図である。
　本例では、画像編集選択画面としての落書き処理画面８００上に、化粧処理選択ボタン８０１と、画像編集終了ボタン８０２と、編集対象となる被写体画像選択ボタン８０３と、選択画像表示部８０４と、落書きツールボタン８０５とが配置されている。
　本画面において、画面操作として、タッチペン８０６により化粧処理選択ボタン８０１が操作されると、化粧処理を開始する。化粧処理では、化粧ツール及びアイテムパレットを選択させた後、タッチペンが化粧部分を表示した表示画面のパネル上に接触したことを検出して、タッチペンの移動軌跡に応じた化粧範囲を設定し、選択された化粧ツール及びアイテムパレットに応じた化粧画像を合成する。
　また、画像編集終了ボタン８０２が操作されると、画像編集処理を終了する。
【００３０】
　図９は、化粧処理の前に利用者に選択させる化粧モードと、各化粧モードに対応したアイテムパレットの基本パターンを示す図である。
　各化粧モード９０１には、化粧ツール９０２〜９０６毎にアイテムパレットが設定されており、利用者の選択に応じて、化粧モードに対応するアイテムパレットを各化粧処理画面に表示する。
　なお、図９では、各化粧ツール９０２〜９０６に対して一つずつのアイテムパレットが設定されているが、実際には複数のアイテムパレットが設定されることとなる。
　また、達人モードでは、他の化粧モードに設定されたアイテムパレットの全てが選択可能となっている。また、達人モードにおいては、利用者の選択に応じて、アイシャドーでの濃淡やさらに濃淡階調の度合い、色合いの濃さの位置関係（例えば、目を丸く印象つけたいときには瞼の上、黒目の上あたりを濃い色にし、目尻に向かって濃淡階調を段階的に薄くてしておくことや、鋭い印象を持たせたいときには目尻に向かって）を変化させることもできる。
【００３１】
　図１０は、顔領域の指定画面の画面構成の一例を示す図である。
　図１０（ａ）に示すように、顔領域の指定画面１０１０では、被写体画像全体１０１１とともに、ガイドメッセージ１０１２を表示する。
　利用者のタッチペンの操作により、左右両目と口の三点が指定されると、図１０（ｂ）に示すように、化粧部分選択画面１０２０として、指定点に基づき判定された顔領域の拡大画像１０２１を表示するとともに、化粧部分選択ボタン１０２２と終了ボタン１０２３とを表示する。ここで、三点の指定により、両目及び口の位置座標と、顔領域の範囲と、顔領域における中心線とが設定される。
　化粧部分選択画面１０２０において、化粧部分選択ボタン１０２２が操作されると、選択されたボタンに対応する化粧部分の化粧処理画面を表示する。
【００３２】
　図１１は、目部分の化粧処理画面の画面構成の一例を示す図である。
　目部分の化粧処理画面１１００では、両目周辺の拡大画像を表示する化粧部分拡大表示部１１０１と、化粧ツール選択ボタン１１０２と、各化粧ツールに対応するアイテムパレット１１０３と、消しゴムツールボタン１００４と、消去ツールボタン１００５とを備える。アイテムパレット１１０３はそれぞれ予めマスカラを塗る範囲を示すものであり、ユーザは化粧の範囲を選択することができる。
　化粧部分拡大表示部１１０１には、両目の周囲の拡大画像を表示し、タッチペンの移動軌跡に応じた化粧処理を可能とする。
　目部分の化粧処理として、アイシャドウツールを用いた化粧処理を行う場合には、図１１に示す編集部分拡大表示部１１０１に示す目部分の上部輪郭に沿って、タッチペンを操作させ、タッチペンの移動軌跡に応じた所定範囲に、アイシャドウを入れた化粧画像を生成する。
【００３３】
　図１２は、目部分の化粧処理画面１１００において、アイシャドウツールを選択した場合の化粧処理の一例を示す図である。
　この場合、図１２（ａ）に示すように、化粧範囲を示す基本図形１２１０として、予め目の輪郭線を示す線分１２１１とアイシャドウを入れる範囲１２１２が記憶されている。
　利用者のタッチペンの移動軌跡１２２１に合わせて、基本図形１２１０の線分１２１１を変形するとともに、線分１２１１の変形に対応させて、基本図形１２１０を変形することにより化粧範囲１２２２を設定し、当該化粧範囲に対して選択された化粧パターンに応じた化粧画像の生成を行う。この場合、タッチペンがパネル面上で移動を行っている間は、基本図形１２１０の変形を行い続け、タッチペンがタッチパネル面から離れた時点で変形を終了し、化粧範囲を確定する。
　この場合、タッチペンの移動軌跡に応じて、化粧範囲の設定だけでなく、化粧範囲に合成される化粧画像について、色濃度の濃淡階調を設定することとしてもよい。
　
（２）刊行物２の記載
　当審における拒絶の理由の通知において引用された特許第４９１９１３１号公報（以下、「刊行物２」という。）には、図面と共に以下の事項が記載されている。
　
【０００１】
　本発明は、画像提供装置および方法、並びにプログラムに関し、特に、利用者にとってより満足度の高い画像を提供することができるようにする画像提供装置および方法、並びにプログラムに関する。
【背景技術】
【０００２】
　利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
　写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
　
【０１１５】
　硬貨が投入されたとステップＳ１において判定した場合、ステップＳ２において、撮影処理部３０２は、撮影部２０８を制御し、カメラ９１に取り込まれた被写体の動画像をタッチパネルモニタ９３にライブビュー表示させ、撮影空間Ａ１にいる利用者を被写体として撮影する撮影処理を行う。なお、撮影処理については、図１３乃至図１５のフローチャートを参照して後述する。
【０１１６】
　ステップＳ３において、撮影処理部３０２は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０１１７】
　ステップＳ４において、編集処理部３０３は、編集空間Ａ２−１と編集空間Ａ２−２のうち、撮影処理を終えた利用者の移動先とした方の編集空間に対応する編集部２０９を制御し、編集処理を行う。具体的には、編集処理部３０３は、編集対象画像として選択された撮影画像に合成する合成用画像を利用者に選択させ、選択された合成用画像を撮影画像に合成させ、得られた合成画像に対して、利用者による編集操作に従って編集を行う。なお、編集処理については、図３０のフローチャートを参照して後述する。
　
【０１６８】
　図２２は、利用者自身が写されている撮影画像を使用して、被写体の目のサイズを選択するのに用いられる目サイズ選択画面の例を示す図である。
【０１６９】
　目サイズ選択画面には、撮影処理によって得られた撮影画像４８１が表示される。例えば、撮影を６回繰り返し行ったときには、６枚の撮影画像が得られており、目サイズ選択画面では、６枚の撮影画像４８１−１乃至４８１−６が、画面の中央から左側に表示される。
【０１７０】
　目サイズ選択画面の右側には、３つの目サイズ選択ボタン４８２−１乃至４８２−３が上から順に表示される。目サイズ選択ボタン４８２−１には、「ナチュラルｅｙｅ」という文字と、目のサイズが自然な大きさのモデルの目の画像とが表示されている。目サイズ選択ボタン４８２−２には、「パッチリｅｙｅ」という文字と、目のサイズが若干大きな（例えば、自然な大きさよりも１割程度大きな）モデルの目の画像とが表示されている。また、目サイズ選択ボタン４８２−２には、この大きさの目サイズを選択することが推奨されることを示唆する「おすすめ」の文字がハート形の図形とともに表示されている。
【０１７１】
　目サイズ選択ボタン４８２−３には、「ボリュームｅｙｅ」という文字と、目のサイズが比較的大きな（例えば、自然な大きさよりも２割程度大きな）モデルの目の画像とが表示されている。また、目サイズ選択ボタン４８２−１乃至４８２−３の右方には、上から下に向かう矢印が表示されるとともに、その矢印の上方に「natural」という文字が表示され、その矢印の下方に「big」という文字が表示されている。つまり、目サイズ選択ボタン４８２−１、目サイズ選択ボタン４８２−２、および目サイズ選択ボタン４８２−３の順に下に向かうにしたがって、目サイズが大きくなることを示唆している。
【０１７２】
　また、目サイズ選択画面の右下側には、目のサイズの選択を決定するときに操作される決定ボタン４８３が表示されており、決定ボタン４８３には、「決定」という文字が表示されている。
【０１７３】
　このような目サイズ選択画面がタッチパネルモニタ９３に表示され、利用者が、目サイズ選択ボタン４８２−１乃至４８２−３のいずれかを選択すると、目サイズ決定処理部３１９は、利用者による選択を受け付ける。そして、目サイズ決定処理部３１９は、利用者により選択されたサイズの目が写されている画像になるように、撮影画像４８１−１乃至４８１−６の被写体の目のサイズを一括して変更する。
【０１７４】
　そして、利用者が、目のサイズの選択を行った後に決定ボタン４８３を選択すると、その時点で撮影画像４８１−１乃至４８１−６に反映されていた大きさで、被写体の目のサイズの選択が決定される。
【０１７５】
　図１５のフローチャートに戻り、ステップＳ６２において、利用者が、目サイズ選択画面の目サイズ選択ボタン４８２−１乃至４８２−３のいずれかに対する操作（タッチ）を行って目のサイズを選択すると、目サイズ決定処理部３１９は、タッチパネルモニタ９３から供給された情報に基づいて、利用者による選択を受け付ける。
【０１７６】
　ステップＳ６３において、目サイズ決定処理部３１９は、利用者により選択されたサイズの目が写っている画像になるように、全ての撮影画像４８１−１乃至４８１−６に写る利用者の目のサイズを一括して変更する。
【０１７７】
　ステップＳ６４において、目サイズ決定処理部３１９は、目のサイズを変更した撮影画像４８１−１乃至４８１−６をタッチパネルモニタ９３に表示し、目のサイズの変更結果を利用者に確認させる。
【０１７８】
　ステップＳ６５において、目サイズ決定処理部３１９は、決定ボタン４８３が押されたか否かをタッチパネルモニタ９３から供給された情報に基づいて判定し、押されていないと判定した場合、ステップＳ６２に戻り、以上の処理を繰り返す。
【０１７９】
　一方、決定ボタン４８３が押されたとステップＳ６５において判定した場合、ステップＳ６６において、目サイズ決定処理部３１９は、目のサイズを決定し、決定した目のサイズを表す情報を記憶部２０２などに記憶させて保存する。
【０１８０】
　ステップＳ６７において、用途情報生成部３２０は、ステップＳ３９において選択された「お祝いメール」、「ブログデコ」、および「コーデアルバム」のうちのいずれか１つの用途を表す用途情報を生成する。
【０１８１】
　ステップＳ６８において、合成画像処理部３１６は、携帯送信後利用画像および合成用画像が合成された撮影画像を、用途情報生成部３２０によって生成された用途情報を含む付加情報とともに記憶部２０２に記憶させる。付加情報には、上述した用途情報の他、携帯送信後利用画像用の合成用画像に含まれるテキスト（文章）や画像等のデータが含まれる。
【０１８２】
　ステップＳ６８の処理が終了すると、撮影処理は終了され、処理は、図１２のステップＳ２に戻る。
　
第４　刊行物１に記載された発明
　以上の記載によれば、刊行物１には次の発明（以下、刊行物１発明という。）が記載されている。
　
（４−１）刊行物１の【０００１】、【０００２】の記載によれば、刊行物１に記載された発明は、合成画像プリント装置において、撮影した被写体画像に対して編集を加える編集方法に関する発明が開示されているといえる。
　
（４−２）刊行物１の【００２４】−【００２６】の記載によれば、刊行物１に記載された合成画像プリント装置は、被写体画像を静止スチル画像によって撮影を行うステップを４回繰り返していることが開示されている。
　
（４−３）刊行物１の【００２７】の記載によれば、刊行物１に記載された合成画像プリント装置は、撮影画像としての被写体画像を４枚保存した後、画像編集処理を開始し、化粧処理（ステップ６０８）を行い、終了ボタンが選択されると画像編集処理を終了し、編集した画像をプリンタ１７で印刷することが開示されている。
　
（４−４）刊行物１の【００２８】−【００３３】の記載によれば、刊行物１に記載された合成画像プリント装置における化粧処理の具体的な構成（目部分の化粧処理）について、以下のとおり開示されている。
（４−４−１）目部分の化粧処理の画面では、化粧部分拡大表示部１１０１には、両目の周囲の拡大画像を表示することが開示されている。
（４−４−２）上記目部分に対する化粧処理は、例えば、アイシャドウツールを選択した場合、利用者のタッチペンの移動軌跡１２２１に合わせて基本図形１２１０の変形を行い化粧画像の生成を行うことが開示されている。
　
（４−５）まとめ
　以上まとめると、刊行物１発明として、以下のとおりのものを認定することができる。（（ａ）ないし（ｄ）は当審において付与し、以下「構成要件（ａ）」等として引用する。）　
　
（ａ）被写体画像を静止スチル画像によって撮影を行うステップを４回繰り返し、
（ｂ）撮影画像としての被写体画像を４枚保存した後、画像編集処理を開始し、
（ｃ）化粧処理（ステップ６０８）を行い、
（ｃ−１）化粧処理（目部分の化粧処理の場合）は、
（ｃ−２）化粧部分拡大表示部１１０１には、両目の周囲の拡大画像を表示し、
（ｃ−３）アイシャドウツールを選択した場合、利用者のタッチペンの移動軌跡１２２１に合わせて基本図形１２１０の変形を行い化粧画像の生成を行い、
（ｄ）終了ボタンが選択されると画像編集処理を終了し、編集した画像をプリンタ１７で印刷する合成画像プリント装置において、撮影した被写体画像に対して編集を加える編集方法。
　
第５　対比
　本願発明と刊行物１発明とを対比する。
　
（５−１）本願発明の構成要件（Ａ）と刊行物１発明の構成要件（ａ）とを対比する。
　刊行物１発明において被写体画像の被写体は、刊行物１の【０００２】に「利用者である被写体」とあるから、利用者の撮影を４回行い利用者が撮影された画像を４枚得ているといえる。
　したがって、刊行物１発明は、利用者を撮影して複数枚の撮影画像を得るように撮影を制御していることは明らかであるから、刊行物１発明は、本願発明の構成要件（Ａ）を有している。
　
（５−２）本願発明の構成要件（Ｂ）と刊行物１発明の構成要件（ｂ）、（ｃ）とを対比する。
　刊行物１発明の「両目の周囲の拡大画像」は、構成要件（ａ）で撮影された画像４枚の画像のうちの、利用者の目の部分を拡大表示していることは明らかであり、上記拡大表示している「化粧部分拡大表示部１１０１」は、上記目の部分の画像を表示している領域といえるから、「前記複数枚の撮影画像の内、前記利用者の一部を表示している画像表示領域」といえる。
　そして、上記表示領域に表示されている「両目の周囲の拡大画像」に対して、構成要件（ｃ−３）では、「利用者のタッチペンの移動軌跡１２２１に合わせて基本図形１２１０の変形を行い化粧画像の生成を行」っているから、上記表示されている利用者の箇所に対して変更の指示を受け付けている。
　したがって、刊行物１発明は、「前記複数枚の撮影画像の内、前記利用者の一部を表示している画像表示領域に表示されている前記利用者の箇所に対する変更の指示を受け付け」の構成を有している点で共通する。
　もっとも、本願発明では、上記変更の指示が「利用者の
同一
異なる
　
（５−３）本願発明の構成要件（Ｃ）と刊行物１発明の構成要件（ｃ）、（ｄ）とを対比する。
　刊行物１発明において、構成要件（ｃ−３）では、変更を受け付けており、化粧画像を生成している。
　そして、構成要件（ｄ）にて、終了ボタンが選択されると画像編集処理を終了し、編集した画像をプリンタ１７で印刷しているが、上記編集した画像は、構成要件（ａ）にて４回撮影した画像のうちから選択され、構成要件（ｂ）にて拡大表示された撮影画像に対して、構成要件（ｃ）にて行った変更を行った画像であることは明白であるから、受け付けられた変更を、前記画像表示領域に表示されている撮影画像に対して施すステップを有しているといえ、刊行物１発明は、構成要件（Ｃ）を備えているといえる。
　
（５−４）本願発明の構成要件（Ｄ）と刊行物１発明とを対比する。
　刊行物１発明では、上記拡大表示された撮影画像以外に、３枚の撮影画像を有していることは明らかであるが、上記３枚の画像に対して、構成要件（ｃ）にて特定される変更処理を行っていることは特定されていないから、構成要件（Ｄ）は有していない。
　
（５−５）本願発明の構成要件（Ｅ）と刊行物１発明の構成要件（ｄ）とを対比する。
　刊行物１発明の「合成画像プリント装置」は、構成要件（ａ）ないし（ｃ）にあるように、写真を撮影し、編集を行っているから、「写真撮影編集機」といえ、上記装置において撮影した被写体画像に対して編集を加える編集方法は、構成要件（ａ）ないし（ｃ）にある処理のステップを含む編集方法であるから、上記（５−１）ないし（５−３）で検討したステップを含む「写真撮影編集機の処理方法」といえる。
　したがって、刊行物１発明は、構成要件（Ｅ）を有している。
　
（５−６）まとめ（一致点・相違点）
　以上まとめると、本願発明と刊行物１発明とは以下の一致点で一致し相違点で相違する。
　
（一致点）
　利用者を撮影して複数枚の撮影画像を得るように撮影を制御し、
　前記複数枚の撮影画像の内、前記利用者の一部を表示している画像表示領域に表示されている前記利用者の箇所に対する変更の指示を受け付け、
　受け付けられた変更を、前記画像表示領域に表示されている撮影画像に対して施すステップを含む、
　写真撮影編集機の処理方法。
　
（相違点）
相違点１　
本願発明では、上記変更の指示が「利用者の
同一
異なる
　
相違点２
 本願発明は、「前記画像表示領域に表示されていない全ての撮影画像に対しても、前記受け付けられた変更を施す」構成を備えているのに対し、刊行物１発明は当該構成を備えていない点。
　
第６　判断
　上記相違点について検討する。
　
（６−１）相違点１について
　本願発明の「同一箇所に対する異なる変更の指示」は、平成２８年５月２４日付け手続補正にて補正されたものであり、同日付け意見書を参酌すると、当該補正の根拠として「この補正は、出願当初の明細書の「０２９４」乃至「０２９６」の段落の記載、図面の図４０の記載を根拠とする。これらの段落の記載、および図面から、例えば、利用者の目のサイズを変更する３つのボタンが表示されていること、顔の明るさを変更する５つのボタンが表示されていること、髪の毛の色を変更する５つのボタンが表示されていること、顔の大きさを変更する３つのボタンが表示されていることが読み取れ、利用者の目、顔色、髪の毛、顔の輪郭といった異なる箇所に対して、大きさや明るさなどを変更するボタンが表示されていることが読み取れる。」と請求人は述べている。
　上記主張によれば、「利用者の目、顔色、髪の毛、顔の輪郭といった異なる箇所」とあるから、「同一箇所」は、「利用者の目」、「顔色」、「髪の毛」、「顔の輪郭」のいずれか一つのみを示し、異なる変更は、上記同一箇所に対して、例えば「利用者の目」であれば「利用者の目のサイズを変更する３つのボタンが表示されていること」により、上記３つのボタンをのいずれかを指示することにより異なる変更の指示を行うことを特定しているものと認めることができる。
　当該構成について刊行物２の、【０００１】−【０００３】、【０１６８】−【０１７４】および図２２の記載によれば、刊行物２に記載された発明は、写真シール機に関する発明であって、利用者の目のサイズを変更しようとしたとき、３つの目サイズ選択ボタンのいずれかを選択することで、異なる目サイズに変更の指示を行うことが開示されている。
　刊行物２に記載された発明が前提とする「写真シール機」は、刊行物１発明の「合成画像プリント装置」と同等のものであり、刊行物１発明において、目の化粧処理を行うことも開示されており、上記目の化粧は、撮影画像に対する目部分についての見栄えをよくする点で目のサイズ変更と共通するから、当該目の化粧処理において、刊行物２に記載された目のサイズ変更も行うようにしようとすることは、当業者であれば容易に想到し得たことである。
　したがって、刊行物１発明において、上記相違点１の構成を採用することは、当業者が容易になしえたことである。
　
（６−２）相違点２について
　刊行物２の記載によれば、刊行物２に記載された写真シール機は、（６−１）で検討した目のサイズを変更する構成を含む撮影処理（ステップＳ２）を有することが記載されており（【０１１５】−【０１１７】）、上記目のサイズ変更の処理の具体的な構成について、【０１６８】−【０１７９】の記載を参酌すると、撮影を６回繰り返し行ったときには、６枚の撮影画像４８１−１乃至４８１−６が得られており、目のサイズ変更の指示を行うと、利用者により選択されたサイズの目が写っている画像になるように、全ての撮影画像４８１−１乃至４８１−６に写る利用者の目のサイズを一括して変更することが開示されている。
　そして、刊行物１発明でも４枚の画像を撮影していることは、先に検討したとおりであるから、上記相違点１で検討したように、目部分に対する見栄えをよくするために、刊行物２に記載された目のサイズ変更の処理を付加すれば、上記４枚の画像に対して目のサイズを一括して変更する構成となることは当然であり、刊行物１発明に対して、刊行物２に記載された上記目のサイズ変更の処理を上記４枚全ての画像に行う構成を付加すれば、「化粧部分拡大表示部」に拡大表示された画像以外の全ての画像に対しても、化粧処理を施す構成となることは明らかであり、刊行物１発明に対して、刊行物２に記載された技術思想を適用し相違点２の構成を採用することは、当業者が容易になしえたことである。
　
　したがって、上記各相違点は、当業者が容易に想到し得たものと認められ、本願発明全体としてみても格別のものはなく、その作用効果も、上記各相違点に係る構成の採用に伴って当然に予測される程度のものにすぎず、格別顕著なものがあるとは認められない。
　
第８　むすび
　以上のとおり、本願発明は、刊行物１、刊行物２に記載された発明に基づいて、当業者が容易に発明をすることができたものであるから、特許法第２９条第２項の規定により特許を受けることができない。
　したがって、残る請求項１ないし請求項１５、請求項１７に係る発明について検討するまでもなく、本願は拒絶すべきものである。
　よって、結論のとおり審決する。